(57)【要約】【課題】スポーツ競技の進行中に発生する多様な事件に対するユーザー端末のベッティングサービス提供方法及びサーバーとそのコンピュータプログラムを提供する。【解決手段】本発明のスポーツベッティングサービス提供方法は、（ａ）競技を複数の区間に分割したベッティング区間のうちの現在ベッティング区間においてベッティング可能なイベントを一つ以上表示し、（ｂ）ベッティング可能なイベントの中からベッティングしようとするイベントが選択されると、選択されたベッティングイベントを表示し、（ｃ）ベッティングイベントに対するベッティングポイントの入力を受け、（ｄ）現在ベッティング区間、ベッティングイベント、及びベッティングポイントを含むベッティング要請情報をサーバーに転送する段階を含み、ベッティング可能なイベントは競技中に発生する事件を含み、スポーツベッティングサービスは、現在ベッティング区間において実際に発生したイベントに対するベッティングイベントの的中の有無に応じてベッティング配当ポイントを支給する。【選択図】図１
2017055894.tif 000002
【特許請求の範囲】
【請求項１】
プロセッサ及び該プロセッサに連結されたメモリを備えるユーザー端末が、前記メモリに格納された実行可能なプログラム命令を前記プロセッサによって実行してスポーツベッティングサービスを提供する方法であって、
（ａ）競技をそれぞれがベッティング可能な時間であるベッティング時間及び該ベッティング時間終了後ベッティング結果を見守るゲーム時間を含む複数の区間に分割したベッティング区間のうちの現在ベッティング区間においてベッティング可能なイベントを一つ以上表示する段階と、
（ｂ）前記ベッティング可能なイベントの中からベッティングしようとするイベントが一つ以上選択されると、前記選択されたイベントであるベッティングイベントを表示する段階と、
（ｃ）前記ベッティングイベントに対するベッティングポイントの入力を受ける段階と、
（ｄ）前記現在ベッティング区間、前記ベッティングイベント、及び前記ベッティングポイントのうちの一つ以上を含むベッティング要請情報をサーバーに転送する段階と、を有し、
前記ベッティング可能なイベントは、前記競技中に発生する事件を含み、
前記スポーツベッティングサービスは、前記現在ベッティング区間において実際に発生したイベントに対する前記ベッティングイベントの的中の有無に応じて前記ベッティングに対する配当ポイントを支給することを特徴とするスポーツベッティングサービス提供方法。
【請求項２】
前記（ａ）段階は、
前記競技がサッカーである場合、前記ベッティング区間は、前記競技の前半及び後半を特定の時間間隔で分割し、
前記競技がバスケットボールである場合、前記ベッティング区間は、前記競技を複数のクォーターまたは特定の得点の間隔で分割し、
前記競技が野球である場合、前記ベッティング区間は、前記競技の各イニング（ｉｎｎｉｎｇ）において投手と打者との対決で分割することを特徴とする請求項１に記載のスポーツベッティングサービス提供方法。
【請求項３】
前記スポーツベッティングサービスは、
前記現在ベッティング区間において最初に実際に発生したイベントに対する前記ベッティングイベントの的中の有無に応じて、前記配当ポイントが支給され、
前記実際に発生したイベントに対して複数のベッティングイベントがすべて的中するか又は複数のベッティングイベントのうちの少なくとも一つが的中する場合に、前記配当ポイントが支給されることを特徴とする請求項１に記載のスポーツベッティングサービス提供方法。
【請求項４】
前記（ａ）段階は、
前記ベッティング可能なイベントに対する統計情報を表示する段階を含み、
前記統計情報は、統計値と予測値のうちの一つ以上を含み、
前記統計値は、前記競技に参加するホームチーム、遠征チーム、及び前記各チーム選手たちの過去両チーム間の競技データのうちの一つ以上に基づいて算出され、
前記予測値は、前記現在ベッティング区間においてベッティングに参加したユーザーの前記ベッティング可能なイベントに対する過去ベッティング的中数、すなわち前記ホームチームと遠征チームとの過去両チーム間の競技に対するベッティング的中数、現在ベッティング数及び前記過去両チーム間の競技データのうちの一つ以上に基づいて算出されることを特徴とする請求項１に記載のスポーツベッティングサービス提供方法。
【請求項５】
前記予測値は、前記過去ベッティング的中数を反映した過去ベッティング媒介変数と前記現在ベッティング数を反映した現在ベッティング媒介変数とを含み、
前記過去ベッティング媒介変数は、前記過去両チーム間の競技において前記ベッティング可能なイベントに対するベッティンググループ、すなわちベッティング的中率順に分類されてグループごとに異なる加重値が付与されるベッティンググループごとの過去ベッティング的中数に基づいて算出され、
前記現在ベッティング媒介変数は、前記現在ベッティング区間の前記ベッティング可能なイベントに対する前記ベッティンググループごとの現在ベッティング数に基づいて計算され、
前記過去ベッティング媒介変数は、前記現在ベッティング媒介変数よりさらに高い加重値が付与されることを特徴とする請求項４に記載のスポーツベッティングサービス提供方法。
【請求項６】
前記（ｂ）段階は、
前記ベッティングしようとするイベントが選択されると、前記現在ベッティング区間において選択可能なアイテムを一つ以上表示する段階と、
前記選択可能なアイテムのうちの特定のアイテムが選択されると、前記選択されたアイテムである選択アイテムを表示する段階と、を含み、
前記（ｄ）段階は、前記選択アイテムを前記ベッティング要請情報にさらに含めて前記サーバーに転送し、
前記選択可能なアイテムは、前記ベッティングイベントの具体的な発生形態及びユーザーに提供される補償のうちの一つ以上を含み、
前記スポーツベッティングサービスは、前記現在ベッティング区間において前記選択アイテムの的中時に、該当アイテムに対応する補償が与えられることを特徴とする請求項１に記載のスポーツベッティングサービス提供方法。
【請求項７】
前記アイテムに対応する補償は、ユーザーのベッティング的中率順に応じて分類されるベッティング等級の上昇、特定のポイント支給、ユーザーが現在保有しているポイントの特定の倍数に該当するポイント支給、及びキャラクター支給のうちの一つ以上を含むことを特徴とする請求項６に記載のスポーツベッティングサービス提供方法。
【請求項８】
請求項１に記載のスポーツベッティングサービス提供方法をユーザー端末に実行させるためのコンピュータプログラム。
【請求項９】
スポーツベッティングサービスを提供するサーバーであって、
一つ以上のハードウェアプロセッサ及び命令をエンコードする非一時的（ｎｏｎ−ｔｒａｎｓｉｔｏｒｙ）コンピュータ読み取り可能な記録媒体を備え、
前記命令は、前記一つ以上のハードウェアプロセッサによって実行されて、前記サーバーによる動作を遂行させ、
前記動作は、
競技をそれぞれがベッティング可能な時間であるベッティング時間及び該ベッティング時間終了後ベッティング結果を見守るゲーム時間を含む複数の区間に分割したベッティング区間のうちの現在ベッティング区間においてベッティング可能なイベントを一つ以上ユーザー端末に提供する動作、前記ユーザー端末から前記現在ベッティング区間、前記ベッティング可能なイベントの中から選択されたイベントであるベッティングイベント、及び前記ベッティングイベントに対するベッティングポイントのうちの一つ以上を含むベッティング要請情報を受信する動作、並びに前記受信されたベッティング要請情報と前記現在ベッティング区間において実際に発生したイベントとに基づいて配当ポイントを算出する際に前記現在ベッティング区間において実際に発生したイベントに対する前記ベッティングイベントの的中の有無に応じて前記配当ポイントを算出する動作を含むことを特徴とするサーバー。
【請求項１０】
前記動作は、
前記現在ベッティング区間において、最初に実際に発生したイベントに対する前記ベッティングイベントの的中の有無に応じて前記配当ポイントを算出し、
前記実際に発生したイベントに対して複数のベッティングイベントが全て的中するか又は複数のベッティングイベントのうちの少なくとも一つが的中する場合、前記配当ポイントを算出する動作をさらに含むことを特徴とする請求項９に記載のサーバー。
【請求項１１】
前記動作は、
前記ユーザー端末において前記ベッティングイベントが選択されると、前記現在ベッティング区間において選択可能なアイテムを一つ以上前記ユーザー端末に提供する動作をさらに含み、
前記受信されたベッティング要請情報は、前記選択可能なアイテムのうちから選択された選択アイテムに対する情報を含み、
前記選択可能なアイテムは、前記ベッティングイベントの具体的な発生形態及びユーザーに提供される補償のうちの一つ以上を含み、前記現在ベッティング区間において前記選択アイテムの的中時に、該当アイテムに対応する補償が与えられることを特徴とする請求項９に記載のサーバー。
【請求項１２】
前記ベッティング可能なイベントに対する統計値及び予測値のうちの一つ以上を含む統計情報を生成して前記ユーザー端末に提供する動作をさらに含み、
前記統計情報を生成する動作は、
前記競技に参加するホームチーム、遠征チーム、及び前記各チーム選手たちの過去両チーム間の競技データのうちの一つ以上に基づいて前記統計値を算出する動作、並びに前記現在ベッティング区間においてベッティングに参加したユーザーの前記ベッティング可能なイベントに対する過去ベッティング的中数、すなわち前記ホームチームと遠征チームとの過去両チーム間の競技に対するベッティング的中数、現在ベッティング数及び前記過去両チーム間の競技データのうちの一つ以上に基づいて前記予測値を算出する動作を含むことを特徴とする請求項９に記載のサーバー。
【請求項１３】
前記統計情報を生成する動作は、前記過去ベッティング的中数を反映した過去ベッティング媒介変数と前記現在ベッティング数を反映した現在ベッティング媒介変数とを算出する動作をさらに含み、
前記過去ベッティング媒介変数を算出する動作は、前記過去両チーム間の競技において前記ベッティング可能なイベントに対するベッティンググループ、すなわちベッティング的中率順に分類されてグループごとに異なる加重値が付与されるベッティンググループごとの過去ベッティング的中数に基づいて算出する動作を含み、
前記現在ベッティング媒介変数を算出する動作は、前記現在ベッティング区間の前記ベッティング可能なイベントに対する前記ベッティンググループごとの現在ベッティング数に基づいて算出する動作を含み、
前記過去ベッティング媒介変数は、前記現在ベッティング媒介変数よりさらに高い加重値が付与されることを特徴とする請求項１２に記載のサーバー。
【請求項１４】
前記統計情報を生成する動作は、環境媒介変数を算出して前記予測値を算出する動作をさらに含み、
前記環境媒介変数を算出する動作は、過去競技場、観客数、天気、競技時間、競技成績、及び前記競技成績に応じた各チームと選手の上り調子または下がり調子のうちの一つ以上に基づいて前記環境媒介変数を算出し、
前記予測値を算出する動作は、前記算出された環境媒介変数を前記過去ベッティング媒介変数に反映するか又は前記過去ベッティング媒介変数と現在ベッティング媒介変数とを合算した値に前記環境媒介変数を反映することを特徴とする請求項１３に記載のサーバー。
【請求項１５】
請求項９に記載のサーバーの動作を実行させるためのコンピュータプログラム。
【発明の詳細な説明】
【技術分野】
【０００１】
本発明は、スポーツベッティングサービスを提供する技術に関する。
【背景技術】
【０００２】
最近、余暇生活に対する関心が高まるにつれ、スポーツ競技に対する関心も高まっている。一般的に、人々は、スポーツ競技が行われる競技場を訪問したり、ラジオ、ＴＶ、及びインターネット等の多様な媒体を通じて中継される放送を聴取又は視聴することにより、スポーツ競技を楽しむ。この時、予想される試合の結果等にベッティング（ｂｅｔｔｉｎｇ）をして、競技結果に応じて配当ポイントを獲得することにより、試合に対する関心と楽しみをさらに大きく感じることができる。
【０００３】
このようにギャンブルを目的とすることではなく、純粋に競技とベッティングを楽しむ人々が増えるにつれ、「トート（ｔｏｔｏ）」や「プロト（ｐｒｏｔｏ）」のようにスポーツに対する関心と参加を通じて競技を分析しながら楽しむベッティングゲームが提案された。
【０００４】
しかし、このような従来のベッティングゲームは、ユーザーからスポーツ競技に対するベッティングのみを誘導するだけで、スポーツ競技に対する積極的な参加にまでつながらないという限界がある。
【０００５】
即ち、「トート（ｔｏｔｏ）」や「プロト（ｐｒｏｔｏ）」のような従来のベッティングゲームは、単に一競技の勝敗、得失点を予測するものであるため、競技が始まる前までは、該当競技に対して集中的に関心を注ぐことになる。しかし、いざ競技が開始された後は、それ以上のベッティングが不可能になるため、既存の競技中継を観戦することと同じくらいまでに集中度が低下し、最終的にはベッティング参加者は競技結果に応じたゲームの配当ポイントを受けることだけに興味を持つようになる。
また、競技に参加する特定のチームや選手に対する分析経験がない人には、ベッティングに参加すること自体が負担になって、最終的にはベッティングゲームに対する無関心の結果をもたらすことになる。
【０００６】
したがって、スポーツ競技の途中に発生する多様な状況（イベント）に対するベッティングを可能にすることにより、競技の開始から終了まで競技に対する集中度と興味を高め、チームや選手に対する分析経験のない参加者にベッティング時に参考できる信頼性の高い情報を提供することにより、ベッティングゲームに対する関心を誘導することができる方法が求められている。
【発明の概要】
【発明が解決しようとする課題】
【０００７】
本発明は、上記従来の問題点に鑑みてなされたものであって、本発明の目的は、スポーツ競技の進行中に発生する多様な事件に対するユーザー端末のベッティングサービス提供方法及びサーバーとそのコンピュータプログラムを提供することにある。
【課題を解決するための手段】
【０００８】
上記目的を達成するためになされた本発明の一態様によるスポーツベッティングサービス提供方法は、プロセッサ及び該プロセッサに連結されたメモリを備えるユーザー端末が、前記メモリに格納された実行可能なプログラム命令を前記プロセッサによって実行してスポーツベッティングサービスを提供する方法であって、（ａ）競技をそれぞれがベッティング可能な時間であるベッティング時間及び該ベッティング時間終了後ベッティング結果を見守るゲーム時間を含む複数の区間に分割したベッティング区間のうちの現在ベッティング区間においてベッティング可能なイベントを一つ以上表示する段階と、（ｂ）前記ベッティング可能なイベントの中からベッティングしようとするイベントが一つ以上選択されると、前記選択されたイベントであるベッティングイベントを表示する段階と、（ｃ）前記ベッティングイベントに対するベッティングポイントの入力を受ける段階と、（ｄ）前記現在ベッティング区間、前記ベッティングイベント、及び前記ベッティングポイントのうちの一つ以上を含むベッティング要請情報をサーバーに転送する段階と、を有し、前記ベッティング可能なイベントは、前記競技中に発生する事件を含み、前記スポーツベッティングサービスは、前記現在ベッティング区間において実際に発生したイベントに対する前記ベッティングイベントの的中の有無に応じて前記ベッティングに対する配当ポイントを支給することを特徴とする。
【０００９】
上記目的を達成するためになされた本発明の一態様によるサーバーは、スポーツベッティングサービスを提供するサーバーであって、一つ以上のハードウェアプロセッサ及び命令をエンコードする非一時的（ｎｏｎ−ｔｒａｎｓｉｔｏｒｙ）コンピュータ読み取り可能な記憶媒体を備え、前記命令は、前記一つ以上のハードウェアプロセッサによって実行されて、前記サーバーによる動作を遂行させ、前記動作は、競技をそれぞれがベッティング可能な時間であるベッティング時間及び該ベッティング時間終了後ベッティング結果を見守るゲーム時間を含む複数の区間に分割したベッティング区間のうちの現在ベッティング区間においてベッティング可能なイベントを一つ以上ユーザー端末に提供する動作、前記ユーザー端末から前記現在ベッティング区間、前記ベッティング可能なイベントの中から選択されたイベントであるベッティングイベント、及び前記ベッティングイベントに対するベッティングポイントのうちの一つ以上を含むベッティング要請情報を受信する動作、並びに前記受信されたベッティング要請情報と前記現在ベッティング区間において実際に発生したイベントに基づいて配当ポイントを算出する際に前記現在ベッティング区間において実際に発生したイベントに対する前記ベッティングイベントの的中の有無に応じて前記配当ポイントを算出する動作を含むことを特徴とする。
【発明の効果】
【００１０】
本発明によれば、スポーツ競技進行中に発生する多様な事件に対してベッティングする機会が与えられるため、競技の開始から終了までの競技に対する集中度と興味を高めることができる。
また、特定のチームや選手に対する分析経験がない参加者にベッティング時に参照できる信頼性の高い情報を提供することによって、ベッティングゲームに対する関心はもちろん、競技に対する集中と興味をさらに高めることができる。
【図面の簡単な説明】
【００１１】
【図１】本発明の一実施形態によるスポーツベッティングシステムの構成図である。
【図２】本発明の一実施形態によるサービスサーバーの構成を示すブロック図である。
【図３】本発明の一実施形態によるスポーツベッティングサービスの過程を示すフローチャートである。
【図４】本発明の他の実施形態によるスポーツベッティングサービスの過程を示すフローチャートである。
【図５】本発明の一実施形態によるサービスサーバーがスポーツ競技中に発生するイベントに対する予測値を算出する過程を示すフローチャートである。
【図６】本発明の一実施形態によるスポーツベッティング画面を示す図である。
【図７】本発明の他の実施形態によるスポーツベッティング画面を示す図である。
【図８】本発明のさらに他の実施形態によるスポーツベッティング画面の詳細画面を示す図である。
【図９】本発明の一実施形態による統計情報を示す図である。
【発明を実施するための形態】
【００１２】
以下、本発明を実施するための形態の具体例を、図面を参照しながら詳細に説明する。しかし、本発明は、様々な異なる形態で具現可能であり、以下で説明する実施形態に限定されない。
【００１３】
図面の説明において、本発明を明確に説明するために説明と関係ない部分は省略し、明細書全体を通じて同様の部分には同様の参照符号を付した。明細書全体に亘って、ある部分が他の部分と「連結」されているというときには「直接的に連結」されている場合だけでなく、その間に他の部材を介在して「間接的に連結」されている場合も含む。また、ある部分がある構成要素を「含む」というとき、これは特に反対の記載がない限り、他の構成要素を除外することではなく、他の構成要素をさらに備えることができるということを意味する。
【００１４】
以下、本発明の一実施形態によるスポーツベッティングシステムについて図１を参照しながら詳しく説明する。
【００１５】
図１は、本発明の一実施形態によるスポーツベッティングシステムの構成図である。
本発明の一実施形態によるスポーツベッティングシステム１００は、ユーザー端末１１０及びサービスサーバー１２０を備える。ユーザー端末１１０は、プロセッサ及びプロセッサに連結されたメモリを備え、メモリにはプロセッサによって以下で説明するユーザー端末１１０の動作を実行させるプログラム命令が格納される。サービスサーバー１２０は、一つ以上のハードウェアプロセッサ及び命令をエンコードする非一時的（ｎｏｎ−ｔｒａｎｓｉｔｏｒｙ）コンピュータ読み取り可能な記憶媒体を備え、一つ以上のプロセッサによって命令が実行され、以下で説明する動作を遂行する。
【００１６】
ユーザー端末１１０は、サービスサーバー１２０から提供されるスポーツベッティング画面を通じて、競技の結果（例えば勝、無、敗）の予測、競技に参加するホームチーム及び遠征チームの得点予測、競技を複数の区間に分割したベッティング区間のうちの現在ベッティング区間において競技進行中に発生する事件（以下、「イベント」と称する）に対する予測、及びイベントに関連するアイテム予測のうちの一つ以上に対する情報と、これらの予測に対するベッティングポイントの入力とを受けて、サービスサーバー１２０にベッティング要請情報を転送する。ここで、競技を複数の区間に分割したベッティング区間は、スポーツの種類に応じて異なる形態に分割される。
【００１７】
例えば、バスケットボールの場合、複数のクォーターまたは特定の得点間隔（例えば、３０点間隔）で分割した複数の区間（例えば、「０〜３０点、３１点〜６０点、６１点〜９０点、９１点〜１２０点」区間）にベッティング区間を分割する。
【００１８】
また、サッカーの場合、前半及び後半を特定の時間間隔単位の複数の時間区間（例えば、５分間隔で分割される場合、前半９回、後半９回、合計１８回）にベッティング区間を分割する。
【００１９】
さらに、野球の場合、各イニング（ｉｎｎｉｎｇ）において、現在の投手と打者との間の対決に応じてベッティング区間を分割する。
【００２０】
一方、ユーザー端末１１０は、ベッティング区間ごとに、ベッティング可能なイベントを一つ以上画面に表示し、選択可能なアイテムを一つ以上画面に表示する。ここで、各ベッティング区間は、ベッティング可能な時間であるベッティング時間及びベッティング時間終了後ベッティング結果を見守る時間であるゲーム時間を含む。
【００２１】
例えば、サッカー競技の前半及び後半の合計９０分を５分間隔で分割した場合、合計１８回の各ベッティング区間は、ベッティング時間「１分」とゲーム時間「４分」とで構成される。
【００２２】
ユーザーは、ベッティング可能なイベントのうち、現在ベッティング区間において発生すると予測されるイベントを「１分」の間に選択し、残りの「４分」の間に競技を見守りながら、自分のベッティング結果（的中の有無）を興味津々に見守る。ここで「イベント」は、スポーツ競技の進行中に発生する事件を含む。
【００２３】
例えば、バスケットボールの場合、シュート、リバウンド、得点、ファウル、ターンオーバー（ｔｕｒｎ  ｏｖｅｒ）、ブロックショット（ｂｌｏｃｋ  ｓｈｏｔ）、スチール（ｓｔｅａｌ）、及びインターセプト（ｉｎｔｅｒｃｅｐｔ）等を含む。
【００２４】
また、サッカーの場合、ゴール、ドローイング、コーナーキック、警告、オフサイド、反則、及びペナルティーキック等を含む。
【００２５】
なお、野球の場合、三振（ｓｔｒｉｋｅ  ｏｕｔ）、バント（ｂｕｎｔ）、フライ（ｆｌａｙ）、フォアボール（ｆｏｕｒ  ｂａｌｌ）、デッドボール（ｈｉｔ  ｂｙ  ｐｉｔｃｈ）、安打、ダブルプレー（ｄｏｕｂｌｅ  ｐｌａｙ）、ホームラン、及び投手のバルク（ｂａｌｋ）等を含み、その他にも出塁走者の盗塁（ｓｔｅａｌ）等をさらに含む。
【００２６】
各スポーツ競技に対するイベントの種類は、この例に限定されるものではなく、実施形態によって各スポーツ競技の進行中に発生する多様な事件がイベントに含まれる。
また、イベントは、バスケットボール及びサッカーにおいて、選手たちのパス等により移動するボール（ｂａｌｌ）の位置、特定のポジションを担当する選手たちの位置、各チームの得点が奇数か偶数か、野球において現在の投手と打者との間の対決中に発生する事件と出塁走者の盗塁等のように、現在の投手と打者とによって直接的に発生しない事件等を含む。
【００２７】
即ち、イベントは、各スポーツ競技のルール（ｒｕｌｅ）に関連して発生する事件だけでなく、ボールや選手たちの動きと位置、得点が奇数か偶数か等、競技進行中に発生する全ての事件を含む。
【００２８】
ユーザーは、現在の時間区間においてユーザー端末１１０の画面に表示されるベッティング可能なイベント（以下、「ベッティング可能イベント」と称する）の中から、ホームチームと遠征チーム別にベッティングしようとするイベント（以下、「ベッティングイベント」と称す）を一つ以上選択し、選択した一つ以上のベッティングイベントがホームチームまたは遠征チームのいずれで発生するかを選択する。
【００２９】
例えば、サッカー競技において、現在ベッティング区間におけるゴール、ドローイング、コーナーキック、警告、オフサイド、反則、及びペナルティーキックがベッティング可能イベントとして表示され、ユーザーは、その中から、ベッティングイベントとしてゴール、コーナーキック、及びオフサイドをホームチームと遠征チームのベッティングイベントとしてそれぞれ選択する。もちろん、ホームチームと遠征チームに対するベッティングイベントが必ず同一である必要はなく、各チーム別に異なるベッティングイベントが選択される。
【００３０】
また、現在ベッティング区間においてハーフライン（ｈａｌｆ  ｌｉｎｅ）を基準にボール（ｂａｌｌ）が、ホームチームまたは遠征チームの陣営のうちのいずれの場所に位置するかを選択するベッティング可能イベントが表示され、ユーザーはベッティングイベントとして、ホームチームまたは遠征チームの陣営のうちのいずれか一つを選択する。
【００３１】
例えば、バスケットボール競技において、現在ベッティング区間における得点、ファウル、及び得点の奇数／偶数がベッティング可能イベントとして表示され、ユーザーは、その中から「得点の奇数／偶数」を選択する。
【００３２】
即ち、現在ベッティング区間において、ホームチーム及び遠征チームの得点がそれぞれ「偶数と偶数」、「偶数と奇数」、「奇数と奇数」、及び「奇数と偶数」のいずれの場合であるかを選択する。
【００３３】
また、ベッティング可能イベントは、現在ベッティング区間において発生するイベントがないことを予測する「ノーイベント（Ｎｏ  Ｅｖｅｎｔ）」を含む。
【００３４】
例えば、サッカー競技において、ゴール、ドローイング、コーナーキック、警告、オフサイド、反則、ペナルティーキック、及びノーイベントがベッティング可能イベントとして表示され、ユーザーが、この中から「ノーイベント」をベッティングイベントとして選択した場合、該当ベッティング区間においてゴール、ドローイング、コーナーキック、警告、オフサイド、反則、及びペナルティーキックのいずれも発生しない場合、ノーイベントは的中したものであり、これに対する配当ポイントが支給される。
【００３５】
なお、ベッティング可能イベントは、ベッティング区間ごとに同一であるか、又は一つ以上のベッティング区間において異なるベッティング可能イベントが提供される。
【００３６】
一方、ベッティングに対する配当ポイント支給の一実施形態として、現在ベッティング区間においてユーザーが選択したベッティングイベントのうちの最初に実際に発生したイベントが存在する場合に支給される。
【００３７】
例えば、サッカー競技において、現在ベッティング区間において提示された複数のベッティング可能なイベントの中から、ユーザーが選択したベッティングイベントが「オフサイド及び警告」であり、現在ベッティング区間において「オフサイド」が最初に発生した場合、ベッティングイベントに対する配当ポイントが支給される。しかし、現在ベッティング区間において、ユーザーが選択していない「ゴール」が最初に発生した場合、ベッティングイベントに対する配当ポイントは支給されない。
【００３８】
ベッティングに対する配当ポイント支給の他の実施形態として、現在ベッティング区間においてユーザーが選択したベッティングイベントが一つ以上であり、現在ベッティング区間において実際に発生したイベントに対して一つ以上のベッティングイベントが全て的中した場合、ベッティングイベントに対する配当ポイントが支給される。
【００３９】
例えば、サッカー競技において、現在ベッティング区間において選択されたベッティングイベントが「ゴール」、「コーナーキック」、及び「警告」であり、現在ベッティング区間において実際に発生したイベントが「コーナーキック」、「警告」、及び「オフサイド」である場合、ベッティングイベントの全部が的中していないため、配当ポイントは支給されない。
【００４０】
ベッティングに対する配当ポイント支給の更に他の実施形態として、複数のベッティングイベントのうちの一部のみが的中した場合、的中した一部のベッティングイベントに対する配当ポイントが支給される。
【００４１】
例えば、サッカー競技において、現在ベッティング区間において選択されたベッティングイベントが「ゴール」、「コーナーキック」、及び「警告」であり、現在ベッティング区間において実際の発生したイベントが「コーナーキック」、「警告」、及び「オフサイド」である場合、的中した一部のベッティングイベントである「コーナーキック」及び「警告」に対する配当ポイントが支給される。
【００４２】
一方、ユーザーは、各ベッティング区間においてベッティングイベントと共にアイテムを選択することができる。ここで、「アイテム」は、イベントの具体的な発生形態であって、１つのイベントに対して複数のアイテムが存在する。
【００４３】
例えば、バスケットボール競技において、「得点」イベントの具体的な発生形態として、２点（シュート）、３点（シュート）、及び最初に得点した選手等がアイテムとして提供され、「ファウル」の具体的な発生形態として、守備者ファウル、攻撃者ファウル、チームファウル、個人ファウル、及び各ファウルの数等がアイテムとして提供される。
【００４４】
また、野球競技において、「フライ（ｆｌｙ）」イベントの具体的な発生形態として、インフィールドフライ（ｉｎｆｉｅｌｄ  ｆｌｙ）、犠牲フライ（ｓａｃｒｉｆｉｃｅ  ｆｌｙ）、ファウルフライ（ｆｏｕｌ  ｆｌｙ）、単純フライ（ｆｌｙ）等がアイテムとして提供される。
さらに、「安打」の具体的な発生形態として、左前安打、中前安打、二塁打、三塁打、及び安打の数等がアイテムとして提供される。また、「三振」イベントの具体的な発生形態として、三振のための投手の投球数がアイテムとして提供される。
【００４５】
ユーザーは、現在ベッティング区間においてユーザー端末１１０の画面に表示される選択可能なアイテム（以下、「選択可能アイテム」と称する）のうちの一つ以上を選択（以下、「選択アイテム」と称する）する。
【００４６】
もし、現在ベッティング区間において選択アイテムが的中した場合、アイテムの的中に対応する補償が与えられる。ここで、選択アイテムの「的中」は、該当アイテムが属するイベントの的中が先行する必要があり、アイテムの的中に対応する「補償」は、ユーザーのベッティング的中率順によって分類されるベッティング等級の上昇、特定のポイント支給、ユーザーが現在保有しているポイントの特定の倍数に該当するポイント支給、及びキャラクター支給のうちの一つ以上を含む。
【００４７】
また、ユーザー端末１１０は、ユーザーが現在ベッティング区間において提示されるベッティング可能イベント及び選択可能アイテムを選択する際に、的中率を高めるために参照できる「統計情報」を画面に表示する。「統計情報」は、統計値及び予測値のうちの一つ以上を含む。
【００４８】
「統計値」は、現在スポーツ競技を進行しているホームチーム及び遠征チーム、そして各チームに所属する選手たちの過去競技データに基づいて算出し、「予測値」は、各ベッティング可能イベントに対する過去ベッティング媒介変数、現在ベッティング媒介変数、及び環境媒介変数に基づいて算出する。
【００４９】
ここで「過去ベッティング媒介変数」は、ベッティング的中率順に分類されたベッティンググループごとに、各イベントに対する過去ベッティングデータに基づいて算出し、「現在ベッティング媒介変数」は、ベッティンググループごとに、各イベントに対する現在ベッティングデータに基づいて算出し、「環境媒介変数」は、過去競技場、観客数、天気、競技時間、競技成績、及び競技成績に応じたチームと選手の上り調子または下がり調子のうちの一つ以上に基づいて算出する。
【００５０】
予測値を算出する根拠となる各媒介変数に関する詳細な説明は、図２を参照して後述する。
【００５１】
また、ユーザー端末１１０は、ベッティングのウェブサイトを通じて、各イベントに対する該当ユーザーのベッティング合計ポイント、該当ユーザーがベッティングしたポイント、該当ユーザーがベッティングしたイベントにベッティングされた合計ポイント（他のユーザーのベッティングポイントが含まれる）と、それに対する配当率、的中時の配当ポイント、該当ユーザーがベッティングしていないイベントにベッティングされた合計ポイントとそれに対する配当率のうちの一つ以上を照会する。
【００５２】
なお、ユーザー端末１１０は、スマートフォン、携帯電話、ＰＤＡ、ＰＭＰ、及びタブレットコンピュータ等の移動通信端末と、ラップトップコンピュータ、デスクトップコンピュータ、及びセットトップボックスに連結されたＴＶとを含み、サービスサーバー１２０に有線または無線通信で連結される。
【００５３】
一方、サービスサーバー１２０は、スポーツ競技のベッティング画面を提供し、ユーザー端末１１０の要請に応じて、進行予定の競技または現在進行中の競技に関する情報（例えば、競技日、ホームチームと遠征チームの名前、及び現在スコア等）をユーザー端末１１０に提供する。
【００５４】
また、サービスサーバー１２０は、スポーツ競技を複数のベッティング区間に分割した各ベッティング区間において、ベッティング可能イベントのリスト及び選択可能アイテムのリストをユーザー端末１１０に提供する。ここで、ベッティング可能イベント、ベッティングイベント、選択可能アイテム、及び選択アイテムに関する説明は前述したので省略する。
【００５５】
また、サービスサーバー１２０は、ユーザーがベッティングイベントやアイテムを選択する際に参照する「統計情報」をユーザー端末１１０に提供する。ここで「統計情報」は、統計値及び予測値のうちの一つ以上を含み、統計値及び予測値に関する詳細な説明は、図２を参照して後述する。
【００５６】
なお、サービスサーバー１２０は、ユーザー端末１１０から現在ベッティング区間、ユーザーが選択したベッティングイベント、選択アイテム、及びベッティングポイントのうちの一つ以上を含むベッティング要請情報を受信してベッティングを進行する。ここで、ベッティング要請情報は、スポーツ競技によって他の情報をさらに含み、例えば、野球競技の場合、現在ベッティング区間において対決中の投手及び打者の情報（名前等）をさらに含む。
【００５７】
また、サービスサーバー１２０は、現在ベッティング区間においてユーザーが選択したベッティングイベントのうちの最初に実際に発生したイベントが存在する場合、該当ベッティングに対する配当ポイントを支給する。
【００５８】
なお、サービスサーバー１２０は、現在ベッティング区間においてユーザーが選択した一つ以上のベッティングイベントの中に、実際に発生したイベントが全て的中するか又は一つ以上存在する場合、該当ベッティングに対する配当ポイントを支給する。そして、サービスサーバー１２０は、現在ベッティング区間においてユーザーが選択したアイテムが的中する場合、サービスサーバー１２０は、該当アイテムに対応する補償を支給する。
【００５９】
また、サービスサーバー１２０は、照会を要請したユーザーの各イベントに対するベッティング合計ポイント、該当ユーザーがベッティングしたポイント、該当ユーザーがベッティングしたイベントにベッティングされた合計ポイント（他のユーザーのベッティングポイントが含まれる）とそれに対する配当率、的中時の配当ポイント、該当ユーザーがベッティングしていないイベントにベッティングされた合計ポイントとそれに対する配当率のうち、一つ以上をユーザー端末１１０に提供する。
【００６０】
本発明は、単純にこれから始まる予定のスポーツ競技に対するベッティングだけでなく、現在進行中のスポーツ競技において発生する多様なイベントに対するベッティングとアイテムの選択を通じて、配当ポイントはもちろん、ベッティングサービスの利用時に役立つ多様な補償を提供する。また、ベッティングゲームに慣れていないユーザーが、ベッティングイベントやアイテムを選択する際に参照できる信頼性の高い統計情報（統計値と予測値）を提供する。
【００６１】
図２は、本発明の一実施形態によるサービスサーバーの構成を示すブロック図である。
【００６２】
本発明の一実施形態によるサービスサーバー１２０は、イベント情報提供部１２１、アイテム情報提供部１２２、統計情報提供部１２３、及びリアルタイムベッティング管理部１２４を備える。
【００６３】
イベント情報提供部１２１は、各スポーツ競技を複数のベッティング区間に分割し、ベッティング区間ごとにベッティング可能イベントのリストをユーザー端末１１０に提供する。ここで、スポーツ競技を複数の区間に分割したベッティング区間は、スポーツの種類によって異なるように分割される。その例として、バスケットボール、サッカー、及び野球について、図１を参照して説明する。なお、ベッティング可能イベントとベッティングイベントについては、前述したので省略する。
【００６４】
アイテム情報提供部１２２は、ユーザーが選択したベッティングイベントに応じてユーザー端末１１０に該当ベッティングイベントに属する選択可能アイテムのリストを提供する。ベッティングイベントと選択可能アイテムとの関係、そして選択アイテム及び補償については、前述したので省略する。
【００６５】
統計情報提供部１２３は、現在ベッティング区間においてユーザーがベッティングイベントやアイテムを選択する際に参照する統計情報をユーザー端末１１０に提供する。ここで「統計情報」は、現在ベッティング区間において提示されるベッティング可能イベントに対する統計値及び予測値のうちの一つ以上を含む。
【００６６】
統計情報提供部１２３は、現在スポーツ競技を進行するホームチームと遠征チーム、各チームに所属する選手たちの過去競技データに基づいて統計値を算出する。
例えば、野球競技の場合、現在ベッティング区間において対決する投手と打者との過去競技データ（過去に二人の選手が対決したデータ）に基づいて、該当投手と打者との対決時に発生したイベントやアイテムに対する統計値を算出する。
【００６７】
また、統計情報提供部１２３は、現在ベッティング区間においてベッティングに参加したユーザーのベッティング可能イベントに対する過去ベッティング的中数、現在ベッティング数、及び上記過去競技データのうちの、一つ以上に基づいて予測値を算出する。
このため、統計情報提供部１２３は、ベッティンググループ分類部１２３ａ、過去ベッティング媒介変数算出部１２３ｂ、現在ベッティング媒介変数算出部１２３ｃ、及び予測値算出部１２３ｄを含む。
【００６８】
以下、統計情報提供部１２３の各構成要素を説明する。
【００６９】
まず、ベッティンググループ分類部１２３ａは、サービスサーバー１２０が提供するスポーツベッティングサービスに加入した会員をベッティング的中率に基づいて、複数のグループ（以下、「ベッティンググループ」と称する）に分類する。ここで、ユーザーを「ベッティンググループ」に分類する理由は、ユーザーによって的中率が異なるためである。
【００７０】
「ベッティング的中率」は、過去ベッティング履歴のうちの特定の数以上のベッティング回数、及びベッティング回数対特定の割合以上の的中数に基づいて分類される。そして、分類されたベッティンググループごとに、予測値の算出時に加重値が付与される。
【００７１】
例えば、ベッティンググループをベッティング的中率順によって「上位、中位、下位」に分類した場合、上位グループは０．５、中位グループは０．３、そして下位グループは０．２の加重値が付与される。なお、ベッティンググループの数は、この例のように、「上位、中位、下位」に分類されるか、又は実施形態によっては、さらに詳細に分類され、加重値も任意に異なって付与される。
【００７２】
以下では、ベッティンググループを「上位、中位、下位」に分類し、分類されたベッティンググループごとに０．５、０．３、及び０．２の加重値が各々付与される場合を説明する。
【００７３】
ベッティンググループ分類部１２３ａは、各ユーザーのベッティング情報（例えば、ベッティングしたイベント、ベッティング回数、及び的中率等）を格納したＤＢ（図示せず）に連動される。
【００７４】
過去ベッティング媒介変数算出部１２３ｂは、現在ベッティング区間において提示されたベッティング可能イベントに対する各ベッティンググループの過去ベッティング的中数に基づいて、過去ベッティング媒介変数を算出する。なお、予測値の算出時に過去ベッティング媒介変数に加重値が付与される。
【００７５】
現在ベッティング媒介変数算出部１２３ｃは、現在ベッティング区間において提示されたベッティング可能イベントに対する各ベッティンググループの現在ベッティング数に基づいて、現在ベッティング媒介変数を算出する。なお、予測値の算出時に現在ベッティング媒介変数に加重値が付与され、ベッティンググループごとにベッティングされた現在ベッティング区間におけるベッティング結果は、次のベッティング時に過去のベッティング結果に含まれ、過去ベッティング媒介変数の算出に活用される。
【００７６】
例えば、野球競技において、現在ベッティング区間（第１ベッティング区間）でＡ投手とＢ打者との対決に関する各ベッティンググループのベッティング結果は、次のベッティング区間（第２ベッティング区間）でＡ投手とＢ打者とが再び対決する場合、過去のベッティング結果に含まれ、過去ベッティング媒介変数の算出に活用される。
【００７７】
予測値算出部１２３ｄは、過去ベッティング媒介変数算出部１２３ｂと、現在ベッティング媒介変数算出部１２３ｃとから各々算出された媒介変数に基づいて、現在ベッティング区間において提示されるベッティング可能イベントに対する予測値を算出する。
【００７８】
この際、予測値算出部１２３ｄは、各ベッティング可能イベントに対する過去ベッティング媒介変数及び現在ベッティング媒介変数に加重値を付与するにおいて、過去ベッティング媒介変数の加重値を現在ベッティング媒介変数の加重値よりも高く付与する。例えば、過去ベッティング媒介変数には０．６を、現在ベッティング媒介変数には０．４を付与する。その理由は、過去ベッティング媒介変数は、過去のデータに基づいた、即ち、すでに発生した結果に対する統計値であり、現在ベッティング媒介変数はまだ発生していないイベントに対する予測値であるためである。
【００７９】
また、予測値算出部１２３ｄは、予測値に環境媒介変数をさらに反映する。ここで「環境媒介変数」は、過去競技場、観客数、天気、及び競技時間等のような外部的な要因と、各チームまたは選手たちの競技成績に応じた戦力（実力）の上り調子または下がり調子のような内部的な要因等とが反映される。
【００８０】
例えば、サッカーや野球競技において、Ａチームが競技で勝利した場合は曇った天気であるか、又は○○競技場で勝利した頻度が高くて、現在○○競技場で競技が開かれているか、又は現在競技が進行されている間に曇りの天気である場合、Ａチームに対する環境媒介変数値が増加される。
【００８１】
また、サッカー競技において、ＡチームのＦＷポジションの特定の選手が、最近有効シュート数とアシストが継続的な上り調子を見せている場合、該当選手の得点やアシストに対する環境媒介変数値は高くなる。
【００８２】
予測値算出部１２３ｄは、現在の競技で対決をしている各チームと、各チームに所属する選手たちに対して、このような多様な環境媒介変数を反映した予測値を算出する。
【００８３】
また、予測値算出部１２３ｄは、環境媒介変数を予測値に反映する時に、過去ベッティング媒介変数に反映し（環境媒介変数もまた過去データに含まれるため）、過去ベッティング媒介変数と現在ベッティング媒介変数とを合算した結果に反映する。なお、統計情報提供部１２３は、アイテムを選択する際に参照できるように、各選択可能アイテムに対する統計情報を提供する。選択可能アイテムに対する統計情報は、上述したベッティング可能イベントの統計情報の内容と同一であるため省略する。
【００８４】
一方、リアルタイムベッティング管理部１２４は、現在ベッティング区間のゲーム時間が終了すると、現在ベッティング区間において実際に発生したイベントに対する情報を取得する。
【００８５】
そして、ユーザー端末１１０から受信したベッティング要請情報と比較し、ベッティングイベントの的中の有無、ベッティングポイントに対する配当ポイント、及び選択アイテムの的中に応じた補償を支給する。
【００８６】
この際、リアルタイムベッティング管理部１２４は、現在ベッティング区間において選択されたベッティングイベントのうち、最初に実際に発生したイベントが存在する場合、該当ベッティングに対する配当ポイントを支給する。
【００８７】
また、リアルタイムベッティング管理部１２４は、現在ベッティング区間において選択された一つ以上のベッティングイベントのうち、実際に発生したイベントが全て存在するか又は一つ以上存在する場合、的中したベッティングイベントに対する配当ポイントを支給する。
【００８８】
なお、リアルタイムベッティング管理部１２４は、現在ベッティング区間が終了すると、ユーザーのベッティング情報（ベッティング回数、的中の有無、的中率、配当ポイント額等）を更新し、それに応じて各ユーザーが属するベッティンググループを更新する。
【００８９】
例えば、下位ベッティンググループに属したユーザーが現在ベッティング区間において所定数のイベントを的中し、中位ベッティンググループの所定の分類基準を満たした場合、リアルタイムベッティング管理部１２４は、該当ユーザーが属するベッティンググループを下位グループから中位グループに更新する。なお、ベッティンググループの更新は、上述したように、各ベッティング区間が終了するたびにベッティング結果に応じて遂行され、競技が全部終了した後に遂行される。
【００９０】
また、ベッティンググループの所定の分類基準には、ベッティングイベントに対する的中率だけでなく、選択アイテムに対する的中も含まれる。
さらに、リアルタイムベッティング管理部１２４は、現在ベッティング区間が終了すると、次のベッティング区間において提示されるベッティング可能イベントと選択可能アイテムのうちの一つ以上に対する統計情報をユーザー端末１１０に提供する。
【００９１】
図３は、本発明の一実施形態によるスポーツベッティングサービスの過程を示すフローチャートである。
【００９２】
図３に示す過程は、ユーザー端末１１０によって遂行される。
ユーザー端末１１０は、現在進行中の一つ以上のスポーツ競技に対する情報を画面に表示する（ステップＳ３０１）。ステップＳ３０１の後、画面に表示されたスポーツ競技の中から特定のスポーツ競技に対する選択が入力されると、ユーザー端末１１０は、選択されたスポーツ競技に対するリアルタイム競技情報と現在ベッティング区間において提示される「選択可能な」ベッティング可能イベントのリストを画面に表示する（ステップＳ３０２）。
【００９３】
ステップＳ３０２の後、ユーザーによって統計情報要請が入力されると、ユーザー端末１１０は、現在ベッティング区間において提示されるベッティング可能イベントに対する統計値及び予測値のうちの一つ以上を含む統計情報をサービスサーバー１２０から受信して画面に表示する（ステップＳ３０３）。
【００９４】
ステップＳ３０３の後、ユーザーによってベッティングイベントが選択されると、ユーザー端末１１０は、選択されたベッティングイベントとそれに属する選択可能アイテムのリストを画面に表示する（ステップＳ３０４）。この際、ユーザーの要請によって、選択可能アイテムに対する統計値及び予測値のうちの一つ以上を含む統計情報が画面に表示される。
【００９５】
ステップＳ３０４の後、ユーザーによって選択可能アイテムのうちの特定のアイテムが選択されると、ユーザー端末１１０は、選択アイテムを表示し、ベッティングに対するベッティングポイントの入力を受けるユーザーインターフェイスを画面に表示した後、ベッティングポイントの入力を受ける（ステップＳ３０５）。なお、ベッティングポイントはオンラインを通じたポイント入力、所定のトークン等、多様な方法で入力される。
【００９６】
ステップＳ３０５の後、ユーザー端末１１０は、現在ベッティング区間、ユーザーによって選択されたベッティングイベントと選択アイテム、ベッティングイベントに対して入力されたベッティングポイントのうちの一つ以上を含むベッティング要請情報をサービスサーバー１２０に転送する（ステップＳ３０６）。
【００９７】
図４は、本発明の他の一実施形態によるスポーツベッティングサービスの過程を示すフローチャートである。
【００９８】
図４に示す過程は、サービスサーバー１２０によって遂行される。
サービスサーバー１２０は、ユーザー端末１１０の要請に応じて、現在進行中のスポーツ競技に対するリストをユーザー端末１１０に提供する（ステップＳ４０１）。この際、現在進行中のスポーツ競技は一つ以上であり、ユーザー端末１１０に転送されるリストには、各スポーツ競技の遠征チームとホームチームの名前、競技日、競技時間、及び競技の進行状況のうちの一つ以上が含まれる。
【００９９】
ステップＳ４０１の後、ユーザー端末１１０から上記リストのうちの特定のスポーツ競技に対する選択情報を受信すると、サービスサーバー１２０は、選択されたスポーツ競技に対するリアルタイム競技情報、現在ベッティング区間において提示されるベッティング可能イベントのリストをユーザー端末１１０に提供する（ステップＳ４０２）。
ステップＳ４０２の後、ユーザー端末１１０からベッティング可能イベントに対する統計情報要請を受信すると、サービスサーバー１２０は、現在ベッティング区間のベッティング可能イベントに対する統計値及び予測値のうちの一つ以上を含む統計情報を算出してユーザー端末１１０に提供する（ステップＳ４０３）。
【０１００】
ステップＳ４０３の後、ユーザー端末１１０からベッティングイベントに対する選択情報を受信すると、サービスサーバー１２０は、選択されたベッティングイベントに属する選択可能アイテムのリストをユーザー端末１１０に提供する（ステップＳ４０４）。なお、ユーザー端末１１０から選択可能アイテムに対する統計情報要請を受信すると、サービスサーバー１２０は、選択可能アイテムに対する統計値及び予測値のうちの一つ以上を含む統計情報を提供する。
【０１０１】
ステップＳ４０４の後、サービスサーバー１２０は、ユーザー端末１１０から、現在ベッティング区間、選択されたベッティングイベント、選択アイテム、及びベッティングに対するベッティングポイントのうちの一つ以上を含むベッティング要請情報を受信する（ステップＳ４０５）。
【０１０２】
ステップＳ４０５の後、現在ベッティング区間が終了すると、サービスサーバー１２０は、現在ベッティング区間において、実際に発生したイベントに対する情報を取得する（ステップＳ４０６）。ステップＳ４０６の後、サービスサーバー１２０は、現在ベッティング区間においてユーザーが選択したベッティングイベントのうちの最初に実際に発生したイベントが存在すると、ベッティングに対する配当ポイントを算出して支給し、選択アイテムの的中に応じた補償を支給する（ステップＳ４０７）。ステップＳ４０７の後、ユーザー端末１１０からベッティング結果に対する情報要請を受信すると、サービスサーバー１２０は、該当ユーザーが選択したベッティングイベントと選択アイテムの的中の有無及び配当率に応じた配当ポイント情報等をユーザー端末１１０に転送する。
【０１０３】
図５は、本発明の一実施形態によるサービスサーバーがスポーツ競技中に発生するイベントに対する予測値を算出する過程を示すフローチャートである。
【０１０４】
まず、サービスサーバー１２０は、本発明の一実施形態によるスポーツベッティングサービスに加入した会員をベッティング的中率順に基づいて上位、中位、下位のベッティンググループに分類する（ステップＳ５０１）。ステップＳ５０１の後、サービスサーバー１２０は、現在ベッティング区間においてベッティングに参加したベッティンググループごとに、ベッティング可能イベントに対する各ベッティンググループの過去ベッティング的中数に基づいてベッティング可能イベントに対する過去ベッティング媒介変数を算出する（ステップＳ５０２）。
【０１０５】
ステップＳ５０２の後、サービスサーバー１２０は、現在ベッティング区間においてベッティングに参加したベッティンググループごとに、ベッティング可能イベントに対する各ベッティンググループの現在ベッティング数に基づいてベッティング可能イベントに対する現在ベッティング媒介変数を算出する（ステップＳ５０３）。
ステップＳ５０３の後、サービスサーバー１２０は、上述した外部的な要因と内部的な要因等を反映し、現在ベッティング区間において提示されるベッティング可能イベントに対する環境媒介変数を算出する（ステップＳ５０４）。
【０１０６】
ステップＳ５０４の後、サービスサーバー１２０は、ステップＳ５０２で算出された過去ベッティング媒介変数とステップＳ５０３で算出された現在ベッティング媒介変数、そしてステップＳ５０４で算出された環境媒介変数に基づいて、現在ベッティング区間において提示されるベッティング可能イベントに対する予測値を算出する（ステップＳ５０５）。この際、サービスサーバー１２０は、過去ベッティング媒介変数と現在ベッティング媒介変数に加重値を付与するにおいて、過去ベッティング媒介変数の加重値を現在ベッティング媒介変数の加重値よりも高く付与して予測値を算出する。また、環境媒介変数を予測値に反映する時に、過去ベッティング媒介変数に反映することもでき、過去ベッティング媒介変数と現在ベッティング媒介変数を合算した結果に反映することもできる。
【０１０７】
ステップＳ５０５の後、サービスサーバー１２０は、ユーザー端末１１０の統計情報要請に応じて、現在ベッティング区間において提示されるベッティング可能イベントに対する予測値をユーザー端末１１０に提供する（ステップＳ５０６）。
【０１０８】
図６は、本発明の一実施形態によるスポーツ競技ベッティング画面を示す図である。
【０１０９】
図６は、サービスサーバー１２０から提供されるスポーツベッティング画面であって、ユーザーは選択項目表示領域６１０を通じて、ベッティングしようとするスポーツ（野球、サッカー、バスケットボール等）と競技（国内競技、海外競技等）を選択する。また、ユーザーは選択項目表示領域６１０を通じて、現在進行中のスポーツ競技、または今後進行予定のスポーツ競技を検索する。
【０１１０】
図６には、現在時間を基準に、現在進行中の国内プロ野球競技が選択されて、結果表示領域６２０にその結果が表示されている。結果表示領域６２０には、現在競技の進行状況が、図６に示すように簡単に表示される。
【０１１１】
ユーザーはベッティングのためのゲームポイントを購入したり、特定の競技を選択して入場した後、リアルタイムで競技を観戦しながらベッティングをする。
【０１１２】
図７は、本発明の他の実施形態によるスポーツベッティング画面を示す図である。
【０１１３】
図７は、サッカー競技のベッティング画面であって、画面の上部には、現在時間を基準に、現在進行中の競技のリストが表示され、画面に表示された競技は、ＡチームとＢチームとの競技である。
【０１１４】
画面の上部には、現在進行中の競技の時間（前半４５分及び後半４５分、合計９０分）を９分間隔で分割した合計１０回のベッティング区間がベッティング区間表示領域７１０に表示されている。現在ベッティング区間にベッティング可能なイベントのリストとして「ゴール、ドローイング、コーナーキック、警告、及びＮｏイベント」がベッティング可能イベント表示領域７３０に表示されている。
【０１１５】
ユーザーは、現在ベッティング区間において、ベッティング可能イベント表示領域７３０に表示されたイベントの中から、ホームチームの遠征チーム別に一つ以上のイベントを選択した後、ホームチームまたは遠征チームのベッティングイベント表示領域７２０に、選択されたイベントをドラッグしたり、クリックすることにより、ベッティングイベントを選択する。なお、ベッティング可能イベントとして「ノーイベント（Ｎｏ  Ｅｖｅｎｔ）」がベッティング可能イベント表示領域７３０に表示され、該当イベントは、現在ベッティング区間において提示されたベッティング可能イベントのうちのいずれのイベントも発生しないと的中するものである。
【０１１６】
また、ユーザー端末１１０は、選択可能なアイテムのリスト表示領域７４０を画面に表示し、ユーザーは選択可能アイテムのリストのうちの一つ以上を選択し、選択されたアイテムは、図７の選択アイテム表示領域７５０に表示される。
【０１１７】
図７において、選択可能アイテムは、ベッティング可能イベントに属するものであって、ベッティング可能イベントのうちの「ゴール」イベントの具体的な発生形態である「ゴール数（３ゴール）」が選択された。
【０１１８】
この他にも「ゴール」イベントに対する選択可能アイテムとして、初ゴールを決めた選手または初ゴールを決めた選手のポジション合わせ等がリストとして提供される。なお、各ベッティング区間において発生したイベントの数を、複数のベッティング区間において合算するか、又は競技終了後に合算して、その結果を予測するアイテムが提供される。
【０１１９】
例えば、第１ベッティング区間から第５ベッティング区間までのゴールやコーナーキックの合計数を予測するアイテムが選択され、第６ベッティング区間から最後のベッティング区間までの各チームの合計警告数を予測するアイテムが選択される。また、「ベッティング可能イベントに対する統計情報を見る」表示領域７６０を選択する場合、ユーザー端末１１０は、現在のサッカー競技を進行するホームチームと遠征チームの間の過去競技データに基づいた統計値と、各チームと各選手に対する統計値を提供する。
【０１２０】
そして、上記統計値に過去ベッティング媒介変数と現在ベッティング媒介変数、及び環境媒介変数をさらに反映し、ベッティングイベントやアイテムの選択時に参考にする予測値を提供する。
【０１２１】
また、ユーザー端末１１０は、現在ベッティング区間において、ベッティング可能な時間であるベッティング時間を図７に示す表示領域７７０に表示する。
【０１２２】
図７では競技の前半と後半とを９分間隔で分割した合計１０回のベッティング区間が存在し、現在ベッティング区間（第２回）において、ベッティング時間は２分であり、現在１分２５秒の残りベッティング時間が存在することが視認できる。
【０１２３】
ベッティング時間が終了すると、ユーザーは残りの７分間、競技を見守りながら自分のベッティング結果を見守る。なお、画面の表示領域７７０に表示されたベッティング時間が終了すると、ベッティング結果を見守るゲーム時間（７分）が画面に表示され、この際、残り時間は、図７に示すベッティング時間の表示領域７７０のように徐々に減少するバーの形態で表示される。
【０１２４】
図８は、本発明のさらに他の実施形態によるスポーツベッティング画面の詳細画面を示す図である
【０１２５】
図８は、バスケットボール競技のベッティング画面であって、バスケットボール競技の進行状況が競技中継領域８１０にリアルタイムで表示されている。なお、ベッティング区間はクォーター区間に分割されている。
【０１２６】
そして、クォーター区間表示領域８２０に表示された現在のクォーター区間において、ホームチームと遠征チームの得点が各々奇数かまたは偶数かを予測する得点奇数／偶数イベントを選択した状態である。なお、競技中継領域８１０には、現在競技の映像、文字、及び画像のうちの一つ以上を含む競技の進行状況が表示される。
【０１２７】
一例として、現在競技の映像が送出されない場合（放送機器のエラー、気象悪化による放送の送受信不安定、または放送送出権がない場合等）、競技中継領域８１０には、現在競技の進行状況が文字で表示される。
【０１２８】
他の例として、現在競技の映像が表示されながら、特定の選手に対する情報、または現在発生したファウル等の競技進行に対する情報が文字や画像で競技中継領域８１０に表示される。
【０１２９】
もちろん、映像、文字、及び画像の全てが競技中継領域８１０に表示される。ユーザーは、現在クォーター区間において、ホームチームと遠征チームの得点が各々奇数になるか又は偶数になるかを予測して、カード選択領域８３０から該当カードを選択した後、各チームの選択カード表示領域８４０にドラッグしたりクリックする。
【０１３０】
例えば、ユーザーが「偶数／偶数」を選択して、現在第１クォーターの終了時にホームチーム対遠征チームの得点が２４対２０である場合、配当ポイントが支給される。もし、偶数／奇数を選択した場合、第１クォーターにおける該当ベッティングに対する配当ポイントは支給されないことになる。なお、現在のクォーター区間（第１クォーター）においてベッティングできる時間であるベッティング時間（ベッティング締切時間）が表示領域８５０に表示され、ベッティング時間が終了すると、当該表示領域８５０には、ベッティング結果を見守るゲーム時間が画面に表示される。
【０１３１】
なお、図８には図示していないが、ベッティングイベントに対するベッティングポイントを入力するベッティングポイント入力領域がさらに含まれる。
【０１３２】
図９は、本発明の一実施形態による統計情報を示す図である。図９は、サッカー競技に対する統計情報であって、上述したように、統計情報はベッティング可能イベントと選択可能アイテムに対する統計値及び予測値のうちの一つ以上を含む。
【０１３３】
図９は、ベッティング可能イベントに対する統計値の一実施例であって、過去競技データを利用して各チーム別に各イベントの発生率と回数等を提供する。
【０１３４】
ユーザーは、図９に示すような統計情報を参考にしてベッティングイベントを選択する。なお、ベッティング可能なイベントに対する予測値は、過去競技データだけでなく、上述した過去ベッティング媒介変数と現在ベッティング媒介変数、そして環境媒介変数をさらに反映して算出し、ユーザーは予測値を参考にしてベッティングイベントを選択する。
【０１３５】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１３６】
１００    スポーツベッティングシステム
１１０    ユーザー端末
１２０    サービスサーバー
１２１    イベント情報提供部
１２２    アイテム情報提供部
１２３    統計情報提供部
１２３ａ    ベッティンググループ分類部
１２３ｂ    過去ベッティング媒介変数算出部
１２３ｃ    現在ベッティング媒介変数算出部
１２３ｄ    予測値算出部
１２４    リアルタイムベッティング管理部
【図１】
2017055894.tif 000003
【図２】
2017055894.tif 000004
【図３】
2017055894.tif 000005
【図４】
2017055894.tif 000006
【図５】
2017055894.tif 000007
【図６】
2017055894.tif 000008
【図７】
2017055894.tif 000009
【図８】
2017055894.tif 000010
【図９】
2017055894.tif 000011